(57)【特許請求の範囲】
【請求項１】
凸部を形成する第１の押圧ロールと、凹部をそれぞれ形成する第２の押圧ロールおよび第３の押圧ロールとを有し、折り処理が施された記録材の折り部を押圧する押圧部と、
凸部をそれぞれ形成する第１の支持ロールおよび第２の支持ロールを有し当該第１の支持ロールと当該第２の支持ロールとの間に凹部を形成し、前記押圧部との間で前記記録材の折り部を挟んで支持する支持部と、
前記押圧部と前記支持部とが離れている第１状態から、当該第１状態よりも当該押圧部と当該支持部とが近づいている第２状態に移行することにより、前記押圧部と前記支持部とで前記記録材の折り部を挟んだ状態で、当該記録材の折り部が形成された方向に沿って当該押圧部と当該支持部とを移動させる駆動部と
を備え、
前記押圧部の前記凹部と前記支持部の前記凸部とが前記記録材の折り部を挟み、かつ、当該押圧部の前記凸部と当該支持部の前記凹部とが当該記録材の他の折り部を挟み、
前記第１状態にて前記押圧部と前記支持部との間に記録材が位置している場合において、前記第１の押圧ロールは、前記第２の押圧ロールおよび前記第３の押圧ロールよりも当該記録材に近い側に設けられていることを特徴とする記録材折り増し装置。
【請求項２】
凸部を形成する第１の押圧ロールと、当該第１の押圧ロールとの間に凹部をそれぞれ形成する第２の押圧ロールおよび第３の押圧ロールとを有し、折り処理が施された記録材の折り部を押圧する押圧部と、
凸部をそれぞれ形成する第１の支持ロールおよび第２の支持ロールを有し当該第１の支持ロールと当該第２の支持ロールとの間に凹部を形成し、前記押圧部との間で前記記録材の折り部を挟んで支持する支持部と、
前記押圧部と前記支持部とが離れている第１状態から、当該第１状態よりも当該押圧部と当該支持部とが近づいている第２状態に移行することにより、前記押圧部と前記支持部とで前記記録材の折り部を挟んだ状態で、当該記録材の折り部が形成された方向に沿って当該押圧部と当該支持部とを移動させる駆動部と
を備え、
前記押圧部の前記凹部と前記支持部の前記凸部とが前記記録材の折り部を挟み、かつ、当該押圧部の前記凸部と当該支持部の前記凹部とが当該記録材の他の折り部を挟み、
前記第１状態にて前記押圧部と前記支持部との間に記録材が位置している場合において、前記第１の押圧ロールは、前記第２の押圧ロールおよび前記第３の押圧ロールよりも当該記録材に近い側に設けられていることを特徴とする記録材折り増し装置。
【請求項３】
記録材を積載する記録材積載部と、
前記記録材積載部により積載された前記記録材が集積して構成する記録材束に中綴じを施す綴じ部と、
前記記録材束のうち前記綴じ部により前記中綴じが施された位置に対して中折りを施して当該記録材束に折り部を形成する折り部と、
凸部を形成する第１の押圧ロールと、凹部をそれぞれ形成する第２の押圧ロールおよび第３の押圧ロールとを有し、前記折り部により前記中折りが施された前記記録材束の前記折り部を押圧する押圧部と、
凸部をそれぞれ形成する第１の支持ロールおよび第２の支持ロールを有し当該第１の支持ロールと当該第２の支持ロールとの間に凹部を形成し、前記押圧部との間で前記記録材束の折り部を挟んで支持する支持部と、
前記押圧部と前記支持部とが離れている第１状態から、当該第１状態よりも当該押圧部と当該支持部とが近づいている第２状態に移行することにより、前記押圧部と前記支持部とで前記記録材束の折り部を挟んだ状態で、当該記録材束の折り部が形成された方向に沿って当該押圧部と当該支持部とを移動させる駆動部と
を備え、
前記押圧部の前記凹部と前記支持部の前記凸部とが前記記録材束の折り部を挟み、かつ、当該押圧部の前記凸部と当該支持部の前記凹部とが当該記録材束の他の折り部を挟み、
前記第１状態にて前記押圧部と前記支持部との間に記録材が位置している場合において、前記第１の押圧ロールは、前記第２の押圧ロールおよび前記第３の押圧ロールよりも当該記録材に近い側に設けられていることを特徴とする記録材綴じ処理装置。
【請求項４】
記録材を積載する記録材積載部と、
前記記録材積載部により積載された前記記録材が集積して構成する記録材束に中綴じを施す綴じ部と、
前記記録材束のうち前記綴じ部により前記中綴じが施された位置に対して中折りを施して当該記録材束に折り部を形成する折り部と、
凸部を形成する第１の押圧ロールと、当該第１の押圧ロールとの間に凹部をそれぞれ形成する第２の押圧ロールおよび第３の押圧ロールとを有し、前記折り部により前記中折りが施された前記記録材束の前記折り部を押圧する押圧部と、
凸部をそれぞれ形成する第１の支持ロールおよび第２の支持ロールを有し当該第１の支持ロールと当該第２の支持ロールとの間に凹部を形成し、前記押圧部との間で前記記録材束の折り部を挟んで支持する支持部と、
前記押圧部と前記支持部とが離れている第１状態から、当該第１状態よりも当該押圧部と当該支持部とが近づいている第２状態に移行することにより、前記押圧部と前記支持部とで前記記録材束の折り部を挟んだ状態で、当該記録材束の折り部が形成された方向に沿って当該押圧部と当該支持部とを移動させる駆動部と
を備え、
前記押圧部の前記凹部と前記支持部の前記凸部とが前記記録材束の折り部を挟み、かつ、当該押圧部の前記凸部と当該支持部の前記凹部とが当該記録材束の他の折り部を挟み、
前記第１状態にて前記押圧部と前記支持部との間に記録材が位置している場合において、前記第１の押圧ロールは、前記第２の押圧ロールおよび前記第３の押圧ロールよりも当該記録材に近い側に設けられていることを特徴とする記録材綴じ処理装置。
【請求項５】
記録材に画像を形成する画像形成装置と、
前記画像形成装置が画像を形成した前記記録材を積載する記録材積載部と、
前記記録材積載部により積載された前記記録材が集積して構成する記録材束に中綴じを施す綴じ部と、
前記記録材束のうち前記綴じ部により前記中綴じが施された位置に対して中折りを施して当該記録材束に折り部を形成する折り部と、
凸部を形成する第１の押圧ロールと、凹部をそれぞれ形成する第２の押圧ロールおよび第３の押圧ロールとを有し、前記折り部により前記中折りが施された前記記録材束の前記折り部を押圧する押圧部と、
凸部をそれぞれ形成する第１の支持ロールおよび第２の支持ロールを有し当該第１の支持ロールと当該第２の支持ロールとの間に凹部を形成し、前記押圧部との間で前記記録材束の折り部を挟んで支持する支持部と、
前記押圧部と前記支持部とが離れている第１状態から、当該第１状態よりも当該押圧部と当該支持部とが近づいている第２状態に移行することにより、前記押圧部と前記支持部とで前記記録材束の折り部を挟んだ状態で、当該記録材束の折り部が形成された方向に沿って当該押圧部と当該支持部とを移動させる駆動部と
を備え、
前記押圧部の前記凹部と前記支持部の前記凸部とが前記記録材束の折り部を挟み、かつ、当該押圧部の前記凸部と当該支持部の前記凹部とが当該記録材束の他の折り部を挟み、
前記第１状態にて前記押圧部と前記支持部との間に記録材が位置している場合において、前記第１の押圧ロールは、前記第２の押圧ロールおよび前記第３の押圧ロールよりも当該記録材に近い側に設けられていることを特徴とする画像形成システム。
【請求項６】
記録材に画像を形成する画像形成装置と、
前記画像形成装置が画像を形成した前記記録材を積載する記録材積載部と、
前記記録材積載部により積載された前記記録材が集積して構成する記録材束に中綴じを施す綴じ部と、
前記記録材束のうち前記綴じ部により前記中綴じが施された位置に対して中折りを施して当該記録材束に折り部を形成する折り部と、
凸部を形成する第１の押圧ロールと、当該第１の押圧ロールとの間に凹部をそれぞれ形成する第２の押圧ロールおよび第３の押圧ロールとを有し、前記折り部により前記中折りが施された前記記録材束の前記折り部を押圧する押圧部と、
凸部をそれぞれ形成する第１の支持ロールおよび第２の支持ロールを有し当該第１の支持ロールと当該第２の支持ロールとの間に凹部を形成し、前記押圧部との間で前記記録材束の折り部を挟んで支持する支持部と、
前記押圧部と前記支持部とが離れている第１状態から、当該第１状態よりも当該押圧部と当該支持部とが近づいている第２状態に移行することにより、前記押圧部と前記支持部とで前記記録材束の折り部を挟んだ状態で、当該記録材束の折り部が形成された方向に沿って当該押圧部と当該支持部とを移動させる駆動部と
を備え、
前記押圧部の前記凹部と前記支持部の前記凸部とが前記記録材束の折り部を挟み、かつ、当該押圧部の前記凸部と当該支持部の前記凹部とが当該記録材束の他の折り部を挟み、
前記第１状態にて前記押圧部と前記支持部との間に記録材が位置している場合において、前記第１の押圧ロールは、前記第２の押圧ロールおよび前記第３の押圧ロールよりも当該記録材に近い側に設けられていることを特徴とする画像形成システム。
【発明の詳細な説明】
【技術分野】
【０００１】
本発明は、記録材折り増し装置、記録材綴じ処理装置、および画像形成システムに関する。
【背景技術】
【０００２】
特許文献１には、折増しローラ対が用紙束の上面側の第１のローラと用紙束の下面側の第２のローラおよび第３のローラより成り、第１のローラと第２のローラによりニップが形成され、第１のローラと第３のローラによりニップが形成され、２箇所のニップに用紙束を挟み折増しを行う用紙処理装置が開示されている。
【０００３】
特許文献２には、増し折りローラ／ユニットの増し折りローラ／上は、増し折りローラ／下に対して加圧状態で接触可能となっており、増し折りローラ対が増し折りのためにシート束を両者のニップに挟んだときには、両者の回転軸の中心を結ぶ直線がシート束の幅方向に対して角度ηだけ傾いて構成されるシート処理装置が開示されている。
【先行技術文献】
【特許文献】
【０００４】
【特許文献１】特開２０１２−１５３５３０号公報
【特許文献２】特開２０１４−１８５０３３号公報
【発明の概要】
【発明が解決しようとする課題】
【０００５】
画像が形成された記録材が集積した記録材束からなる製本を作成する画像形成システムでは、記録材束に対して中綴じ処理を行い、中綴じされた記録材束を中綴じ位置で折って折り部を形成する。その後、一対の折りローラが記録材束の折り部を挟んだ状態で折り部が形成された方向に沿って移動することにより中綴じ製本の折り部の折り増しを行う。そして、剛性が高い記録材からなる製本や記録材の枚数が多い製本に対して折り増しを行う場合、十分な折り増しが行われないことがある。
本発明は、記録材束の折り部に対して、十分な折り増しを行うことを目的とする。
【課題を解決するための手段】
【０００６】
請求項１に記載の発明は、凸部を形成する第１の押圧ロールと、凹部をそれぞれ形成する第２の押圧ロールおよび第３の押圧ロールとを有し、折り処理が施された記録材の折り部を押圧する押圧部と、凸部をそれぞれ形成する第１の支持ロールおよび第２の支持ロールを有し当該第１の支持ロールと当該第２の支持ロールとの間に凹部を形成し、前記押圧部との間で前記記録材の折り部を挟んで支持する支持部と、前記押圧部と前記支持部とが離れている第１状態から、当該第１状態よりも当該押圧部と当該支持部とが近づいている第２状態に移行することにより、前記押圧部と前記支持部とで前記記録材の折り部を挟んだ状態で、当該記録材の折り部が形成された方向に沿って当該押圧部と当該支持部とを移動させる駆動部とを備え、前記押圧部の前記凹部と前記支持部の前記凸部とが前記記録材の折り部を挟み、かつ、当該押圧部の前記凸部と当該支持部の前記凹部とが当該記録材の他の折り部を挟み、前記第１状態にて前記押圧部と前記支持部との間に記録材が位置している場合において、前記第１の押圧ロールは、前記第２の押圧ロールおよび前記第３の押圧ロールよりも当該記録材に近い側に設けられていることを特徴とする記録材折り増し装置である。
請求項２に記載の発明は、凸部を形成する第１の押圧ロールと、当該第１の押圧ロールとの間に凹部をそれぞれ形成する第２の押圧ロールおよび第３の押圧ロールとを有し、折り処理が施された記録材の折り部を押圧する押圧部と、凸部をそれぞれ形成する第１の支持ロールおよび第２の支持ロールを有し当該第１の支持ロールと当該第２の支持ロールとの間に凹部を形成し、前記押圧部との間で前記記録材の折り部を挟んで支持する支持部と、前記押圧部と前記支持部とが離れている第１状態から、当該第１状態よりも当該押圧部と当該支持部とが近づいている第２状態に移行することにより、前記押圧部と前記支持部とで前記記録材の折り部を挟んだ状態で、当該記録材の折り部が形成された方向に沿って当該押圧部と当該支持部とを移動させる駆動部とを備え、前記押圧部の前記凹部と前記支持部の前記凸部とが前記記録材の折り部を挟み、かつ、当該押圧部の前記凸部と当該支持部の前記凹部とが当該記録材の他の折り部を挟み、前記第１状態にて前記押圧部と前記支持部との間に記録材が位置している場合において、前記第１の押圧ロールは、前記第２の押圧ロールおよび前記第３の押圧ロールよりも当該記録材に近い側に設けられていることを特徴とする記録材折り増し装置である。
請求項３に記載の発明は、記録材を積載する記録材積載部と、前記記録材積載部により積載された前記記録材が集積して構成する記録材束に中綴じを施す綴じ部と、前記記録材束のうち前記綴じ部により前記中綴じが施された位置に対して中折りを施して当該記録材束に折り部を形成する折り部と、凸部を形成する第１の押圧ロールと、凹部をそれぞれ形成する第２の押圧ロールおよび第３の押圧ロールとを有し、前記折り部により前記中折りが施された前記記録材束の前記折り部を押圧する押圧部と、凸部をそれぞれ形成する第１の支持ロールおよび第２の支持ロールを有し当該第１の支持ロールと当該第２の支持ロールとの間に凹部を形成し、前記押圧部との間で前記記録材束の折り部を挟んで支持する支持部と、前記押圧部と前記支持部とが離れている第１状態から、当該第１状態よりも当該押圧部と当該支持部とが近づいている第２状態に移行することにより、前記押圧部と前記支持部とで前記記録材束の折り部を挟んだ状態で、当該記録材束の折り部が形成された方向に沿って当該押圧部と当該支持部とを移動させる駆動部とを備え、前記押圧部の前記凹部と前記支持部の前記凸部とが前記記録材束の折り部を挟み、かつ、当該押圧部の前記凸部と当該支持部の前記凹部とが当該記録材束の他の折り部を挟み、前記第１状態にて前記押圧部と前記支持部との間に記録材が位置している場合において、前記第１の押圧ロールは、前記第２の押圧ロールおよび前記第３の押圧ロールよりも当該記録材に近い側に設けられていることを特徴とする記録材綴じ処理装置である。
請求項４に記載の発明は、記録材を積載する記録材積載部と、前記記録材積載部により積載された前記記録材が集積して構成する記録材束に中綴じを施す綴じ部と、前記記録材束のうち前記綴じ部により前記中綴じが施された位置に対して中折りを施して当該記録材束に折り部を形成する折り部と、凸部を形成する第１の押圧ロールと、当該第１の押圧ロールとの間に凹部をそれぞれ形成する第２の押圧ロールおよび第３の押圧ロールとを有し、前記折り部により前記中折りが施された前記記録材束の前記折り部を押圧する押圧部と、凸部をそれぞれ形成する第１の支持ロールおよび第２の支持ロールを有し当該第１の支持ロールと当該第２の支持ロールとの間に凹部を形成し、前記押圧部との間で前記記録材束の折り部を挟んで支持する支持部と、前記押圧部と前記支持部とが離れている第１状態から、当該第１状態よりも当該押圧部と当該支持部とが近づいている第２状態に移行することにより、前記押圧部と前記支持部とで前記記録材束の折り部を挟んだ状態で、当該記録材束の折り部が形成された方向に沿って当該押圧部と当該支持部とを移動させる駆動部とを備え、前記押圧部の前記凹部と前記支持部の前記凸部とが前記記録材束の折り部を挟み、かつ、当該押圧部の前記凸部と当該支持部の前記凹部とが当該記録材束の他の折り部を挟み、前記第１状態にて前記押圧部と前記支持部との間に記録材が位置している場合において、前記第１の押圧ロールは、前記第２の押圧ロールおよび前記第３の押圧ロールよりも当該記録材に近い側に設けられていることを特徴とする記録材綴じ処理装置である。
請求項５に記載の発明は、記録材に画像を形成する画像形成装置と、前記画像形成装置が画像を形成した前記記録材を積載する記録材積載部と、前記記録材積載部により積載された前記記録材が集積して構成する記録材束に中綴じを施す綴じ部と、前記記録材束のうち前記綴じ部により前記中綴じが施された位置に対して中折りを施して当該記録材束に折り部を形成する折り部と、凸部を形成する第１の押圧ロールと、凹部をそれぞれ形成する第２の押圧ロールおよび第３の押圧ロールとを有し、前記折り部により前記中折りが施された前記記録材束の前記折り部を押圧する押圧部と、凸部をそれぞれ形成する第１の支持ロールおよび第２の支持ロールを有し当該第１の支持ロールと当該第２の支持ロールとの間に凹部を形成し、前記押圧部との間で前記記録材束の折り部を挟んで支持する支持部と、前記押圧部と前記支持部とが離れている第１状態から、当該第１状態よりも当該押圧部と当該支持部とが近づいている第２状態に移行することにより、前記押圧部と前記支持部とで前記記録材束の折り部を挟んだ状態で、当該記録材束の折り部が形成された方向に沿って当該押圧部と当該支持部とを移動させる駆動部とを備え、前記押圧部の前記凹部と前記支持部の前記凸部とが前記記録材束の折り部を挟み、かつ、当該押圧部の前記凸部と当該支持部の前記凹部とが当該記録材束の他の折り部を挟み、前記第１状態にて前記押圧部と前記支持部との間に記録材が位置している場合において、前記第１の押圧ロールは、前記第２の押圧ロールおよび前記第３の押圧ロールよりも当該記録材に近い側に設けられていることを特徴とする画像形成システムである。
請求項６に記載の発明は、記録材に画像を形成する画像形成装置と、前記画像形成装置が画像を形成した前記記録材を積載する記録材積載部と、前記記録材積載部により積載された前記記録材が集積して構成する記録材束に中綴じを施す綴じ部と、前記記録材束のうち前記綴じ部により前記中綴じが施された位置に対して中折りを施して当該記録材束に折り部を形成する折り部と、凸部を形成する第１の押圧ロールと、当該第１の押圧ロールとの間に凹部をそれぞれ形成する第２の押圧ロールおよび第３の押圧ロールとを有し、前記折り部により前記中折りが施された前記記録材束の前記折り部を押圧する押圧部と、凸部をそれぞれ形成する第１の支持ロールおよび第２の支持ロールを有し当該第１の支持ロールと当該第２の支持ロールとの間に凹部を形成し、前記押圧部との間で前記記録材束の折り部を挟んで支持する支持部と、前記押圧部と前記支持部とが離れている第１状態から、当該第１状態よりも当該押圧部と当該支持部とが近づいている第２状態に移行することにより、前記押圧部と前記支持部とで前記記録材束の折り部を挟んだ状態で、当該記録材束の折り部が形成された方向に沿って当該押圧部と当該支持部とを移動させる駆動部とを備え、前記押圧部の前記凹部と前記支持部の前記凸部とが前記記録材束の折り部を挟み、かつ、当該押圧部の前記凸部と当該支持部の前記凹部とが当該記録材束の他の折り部を挟み、前記第１状態にて前記押圧部と前記支持部との間に記録材が位置している場合において、前記第１の押圧ロールは、前記第２の押圧ロールおよび前記第３の押圧ロールよりも当該記録材に近い側に設けられていることを特徴とする画像形成システムである。
【発明の効果】
【０００７】
請求項１の発明によれば、第１状態にて押圧部と支持部との間に位置している記録材から押圧部における各々の押圧ロールまでの距離がそれぞれ同じである場合に比べて、記録材の折り部を折り増しする際に記録材のうち第１の押圧ロールに押圧される部分の周囲にしわが生じることを抑制することができる。
請求項２の発明によれば、第１状態にて押圧部と支持部との間に位置している記録材から押圧部における各々の押圧ロールまでの距離がそれぞれ同じである場合に比べて、記録材の折り部を折り増しする際に記録材のうち第１の押圧ロールに押圧される部分の周囲にしわが生じることを抑制することができる。
請求項３の発明によれば、第１状態にて押圧部と支持部との間に位置している記録材から押圧部における各々の押圧ロールまでの距離がそれぞれ同じである場合に比べて、記録材の折り部を折り増しする際に記録材のうち第１の押圧ロールに押圧される部分の周囲にしわが生じることを抑制することができる。
請求項４の発明によれば、第１状態にて押圧部と支持部との間に位置している記録材から押圧部における各々の押圧ロールまでの距離がそれぞれ同じである場合に比べて、記録材の折り部を折り増しする際に記録材のうち第１の押圧ロールに押圧される部分の周囲にしわが生じることを抑制することができる。
請求項５の発明によれば、第１状態にて押圧部と支持部との間に位置している記録材から押圧部における各々の押圧ロールまでの距離がそれぞれ同じである場合に比べて、記録材の折り部を折り増しする際に記録材のうち第１の押圧ロールに押圧される部分の周囲にしわが生じることを抑制することができる。
請求項６の発明によれば、第１状態にて押圧部と支持部との間に位置している記録材から押圧部における各々の押圧ロールまでの距離がそれぞれ同じである場合に比べて、記録材の折り部を折り増しする際に記録材のうち第１の押圧ロールに押圧される部分の周囲にしわが生じることを抑制することができる。
【図面の簡単な説明】
【０００８】
【図１】本実施の形態が適用される画像形成システムの全体構成の一例を示した図である。
【図２】用紙処理装置の構成を示した斜視図である。
【図３】折り増し機能部の構成を示した正面図である。
【図４】折り増し機能部の構成を示した側面図である。
【図５】折り増しロールユニットの構成を示した正面図である。
【図６】（ａ）は上ロールの一部が冊子に接触している状態、（ｂ）は折り増しロールユニットにより折り増しされているときの冊子の状態を示した図である。
【図７】折り増しロールユニットの他の構成例を示した図である。
【図８】折り増しロールユニットの他の構成例を示した図である。
【図９】折り増しロールユニットの他の構成例を示した図である。
【発明を実施するための形態】
【０００９】
＜画像形成システム１の説明＞
以下、添付図面を参照して、本発明を実施するための形態について詳細に説明する。
図１は、本実施の形態が適用される画像形成システム１の全体構成を示した図であり、画像形成システム１を、ユーザによる指示や操作を受け付けるフロントＦ側から眺めた正面図である。図１に示す画像形成システム１は、例えば電子写真方式によってカラー画像を形成するプリンタや複写機等の画像形成装置２と、画像形成装置２によって例えばトナー像が形成された記録材の一例としての用紙（シート）に対して後処理を施す用紙処理装置３とを備えている。
【００１０】
画像形成装置２は、例えば所謂タンデム方式で構成され、各色の画像データに基づき画像を形成する画像形成部４と、ユーザからの操作入力を受け付ける操作入力部５と、画像形成装置２の動作および画像形成システム１全体の動作を制御する主制御部６とを備えている。
なお、以下の説明では、画像形成システム１において、フロントＦ側からリアＲ側に向かう方向をＸ方向、下方から上方に向かう方向をＹ方向、Ｘ方向とＹ方向とに交差する方向であって、フロントＦ側から見た場合の左側から右側に向かう方向をＺ方向、と称する。
【００１１】
図２は、用紙処理装置３の構成を示した図である。
用紙処理装置３は、図１および図２に示すように、画像形成装置２から出力された用紙をさらに下流側に搬送する搬送機能部２００を有する搬送装置２０を有する。また、搬送装置２０から搬送された用紙に対して内三折り（Ｃ折り）や外三折り（Ｚ折り）等の折り処理を施す折り機能部３００を有する折り装置３０を有する。更に、折り装置３０の下流側に設けられて折り装置３０から搬送された用紙に対して穴あけ処理を施す穿孔機能部４００を有する穿孔装置４０を有する。また更に、穿孔装置４０の下流側に設けられて用紙に端綴じ処理を施す端綴じ機能部５１０、製本処理を施す製本機能部５２０、および、製本処理が施され形成した記録材束の一例としての冊子Ｓの折り部の折り増しを行う折り増し機能部５３０を有する綴じ製本装置５０を有する。
【００１２】
また、用紙処理装置３は、折り装置３０へ搬送される用紙に対して厚紙や窓空き用紙等の合紙を挿入する挿入機能部６００を有する挿入装置６０と、綴じ製本装置５０から搬送された用紙を複数のトレイに仕分けして排出する仕分け機能部７００を有する仕分け装置７０とを備えている。
さらに、用紙処理装置３は、用紙処理装置３の全体を制御する用紙処理制御部１００を有している。この例では、用紙処理制御部１００は、綴じ製本装置５０に設けられている。
【００１３】
ここで、本実施の形態の画像形成システム１の用紙処理装置３では、搬送装置２０、折り装置３０および穿孔装置４０において用紙が排出される排出口の高さが等しく設定されている。また、用紙処理装置３では、折り装置３０、穿孔装置４０および綴じ製本装置５０において用紙が挿入される挿入口の高さが等しく設定されている。そして、本実施の形態の用紙処理装置３では、搬送装置２０、折り装置３０、穿孔装置４０および綴じ製本装置５０は、用紙搬送のための共通のインターフェースを備えている。
さらにまた、本実施の形態の用紙処理装置３では、搬送装置２０、折り装置３０、穿孔装置４０および綴じ製本装置５０は、電気的接続および機械的接続のための共通のインターフェースを備えている。
これにより、本実施の形態の用紙処理装置３では、各装置（例えば折り装置３０、穿孔装置４０および綴じ製本装置５０）の接続順序を変更したり、接続する装置の組み合わせを変更したりすることが可能となっている。
【００１４】
＜綴じ製本装置の説明＞
続いて、本実施の形態の綴じ製本装置５０の構成について説明する。
記録材綴じ処理装置の一例としての綴じ製本装置５０は、上述したように、用紙束の端を綴じるための端綴じ機能部５１０と、用紙束を中折り／中綴じして見開き状の冊子Ｓを作成する製本機能部５２０と、冊子Ｓが中折りされ形成した折り部の折り増しを行う折り増し機能部５３０とを備えている。また、綴じ製本装置５０は、穿孔装置４０から搬送された用紙を受け入れる搬入口５３と、綴じ製本装置５０にて処理が施された用紙を収容する収容トレイ５４〜５６を備えている。
【００１５】
＜製本機能部の説明＞
続いて、綴じ製本装置５０が備える製本機能部５２０について説明する。
製本機能部５２０は、図２に示すように、画像形成後の用紙を必要枚数だけ集積させる記録材積載部の一例としての用紙集積部５２１と、用紙を用紙集積部５２１に排出する排出ロール５２２と、中綴じ位置や中折り位置を決定するために用紙集積部５２１に沿って移動するエンドガイド５２３とを備えている。また、製本機能部５２０は、用紙集積部５２１上に集積される用紙をエンドガイド５２３に向けて搬送する複数の用紙揃え部材５２４を備えている。
【００１６】
また、製本機能部５２０は、用紙集積部５２１上に集積される用紙を幅方向に揃えるためにスライド移動する一対の製合板からなる用紙幅揃え部材５２５と、用紙集積部５２１に集積された用紙束を中綴じする綴じ部の一例としてのステープラ５２６とを備えている。さらに、製本機能部５２０は、ステープラ５２６により中綴じされた用紙束を中綴じ位置で折るために用紙集積部５２１の下方から上方に向けて突出するように移動する折り部の一例としての折りナイフ５２７と、折りナイフ５２７によって折りが開始された用紙束を挟み込む一対のロールからなる折りロール５２８とを備えている。なお、用紙集積部５２１のうち折りナイフ５２７に対向する部分には開口（図示せず）が設けられている。
【００１７】
綴じ製本装置５０において中折り／中綴じされた冊子Ｓを作製する場合には、用紙処理制御部１００からの指示により、搬送装置２０、折り装置３０および穿孔装置４０を経由して搬送されてきた用紙が、製本機能部５２０に送られる。そして、製本機能部５２０の排出ロール５２２は、搬送されてくる用紙を用紙集積部５２１に送り出す。これにより、例えば、５枚、１０枚、１５枚等、例えば画像形成装置２の主制御部６（図１参照）にて設定された枚数が、用紙集積部５２１に集積される。このとき、エンドガイド５２３は、例えば、用紙の搬送方向中央部がステープラ５２６によるステープル位置に対応するように移動して停止している。さらにこのとき、用紙揃え部材５２４は、回転し、集積される用紙をエンドガイド５２３に押し当てて、用紙揃え補助をしている。また、用紙幅揃え部材５２５は、用紙集積部５２１に集積される用紙の幅方向にスライド移動して、集積された用紙に対して幅方向から幅揃えを行う。
【００１８】
用紙集積部５２１に予め定められた枚数の用紙が集積された後、ステープラ５２６によって、用紙の一部（例えば搬送方向中央部分）に対する中綴じが実行される。
次いで、中綴じを終え形成した用紙束は、エンドガイド５２３の上方への動きによって、折り部分（例えば用紙の搬送方向中央部分）が折りナイフ５２７の先端位置と一致するように移動される。なお、折りナイフ５２７は、用紙集積部５２１への用紙集積段階や、ステープラ５２６による中綴じ段階、または中綴じ後の用紙搬送段階では、その先端が用紙集積部５２１の下方に退避するように構成されている。
【００１９】
用紙束の折り位置が折りナイフ５２７の先端位置まで移動した後、折りナイフ５２７は、不図示のＤＣモータによって、下方から上方に向けて押し出される。すなわち、折りナイフ５２７の先端が、折りナイフ５２７に対向する位置に開口が設けられた用紙集積部５２１の収容面に交差する方向に沿って、下方から上方に向けて用紙束を押圧する。さらに、折りナイフ５２７の先端は、用紙集積部５２１の開口の上方向側に押し出され、これにより用紙束は、用紙集積部５２１の収容面から押し上げられて、折りロール５２８に挟み込まれる。この場合、折りナイフ５２７は、用紙束が折りロール５２８に食い込む位置まで移動する。
これにより、用紙集積部５２１に集積された予め定められた枚数の用紙からなる冊子Ｓは、折りナイフ５２７に押されるとともに折りロール５２８に挟み込まれることで、中折り処理が施される。
【００２０】
＜折り増し機能部の説明＞
続いて、綴じ製本装置５０が備える折り増し機能部５３０について説明する。
図３は、折り増し機能部５３０の構成を示した図であり、リアＲ側から折り増し機能部５３０を眺めた正面図である。
折り増し機能部５３０は、図３に示すように、折りロール５２８が支持する冊子Ｓの折り部を挟んで折り増しを行う折り増しロールユニット５３１と、折り増しロールユニット５３１を支持する支持部材５３４とを備える。また、折り増し機能部５３０は、折り増し機能部５３０を移動させる移動機構部５３５と、折り増し機能部５３０が移動する経路を誘導する経路誘導部５３６とを備える。さらに、折り増し機能部５３０は、支持部材５３４に接続するとともに経路誘導部５３６に嵌めて設けられたカム５３７と、支持部材５３４および移動機構部５３５を軸として支持する支持軸５３８とを備える。
【００２１】
折り増しロールユニット５３１は、冊子Ｓの上方から冊子Ｓを押圧する上ロール５３１Ａと、冊子Ｓの下方から冊子Ｓを支持する下ロール５３１Ｂとを備える。上ロール５３１Ａは上下方向に移動可能に設けられており、下ロール５３１Ｂとの間に冊子Ｓの折り部を挟んで押圧することで、冊子Ｓの折り部の折り増しを行う。折り増しロールユニット５３１の詳細な構成については後述する。
【００２２】
支持部材５３４は、上ロール５３１Ａを支持する上支持部５３４Ａと、下ロール５３１Ｂを支持する下支持部５３４Ｂと、上支持部５３４Ａと下支持部５３４Ｂとの間に設けられたばね５３４Ｃとを備える。上支持部５３４Ａは支持軸５３８を貫通し、支持軸５３８上を移動可能に設けられる。下支持部５３４Ｂは、支持軸５３８の下端部と接続して設けられる。ばね５３４Ｃは、上支持部５３４Ａと下支持部５３４Ｂとの間の支持軸５３８に貫通して設けられ、上支持部５３４Ａが支持軸５３８上を移動して下支持部５３４Ｂへ近づくことを規制する。
【００２３】
駆動部の一例としての移動機構部５３５は、支持軸５３８の上端と接続して設けられ、不図示のモータにより、折りロール５２８が支持する冊子Ｓの折り部が形成された方向に沿って折り増し機能部５３０を移動させる。なお、折り増し機能部５３０は、冊子Ｓの折り増しを行わないときは、折り増し機能部５３０のフロントＦ側端部に待機しており、折りロール５２８による冊子Ｓの搬送に干渉しない。
経路誘導部５３６は、折り増し機能部５３０が移動する際のカム５３７の移動経路を構成する移動経路部５４０を備える。移動経路部５４０の詳細な構成については、後述する。
【００２４】
カム５３７は、上支持部５３４Ａと接続するとともに、一部が経路誘導部５３６の移動経路部５４０に嵌まって設けられ、折り増し機能部５３０が移動すると、移動経路部５４０の経路に沿って上下方向に移動する。カム５３７が下方に移動する際は、カム５３７と接続している上支持部５３４Ａが押圧され、上支持部５３４Ａがばね５３４Ｃを介して下支持部５３４Ｂに近づくように支持軸５３８上を移動する。
支持軸５３８は、移動機構部５３５との接続部から下方に沿って延び、上方から順に上支持部５３４Ａ、ばね５３４Ｃを貫通し、下端が下支持部５３４Ｂに接続して設けられる。
【００２５】
＜折り増し機能部が行う冊子の折り増しの説明＞
続いて、折り増し機能部５３０が行う冊子Ｓの折り増しについて説明する。
図４は、折り増し機能部５３０の構成を示した図であり、折り増し機能部５３０の側面図である。
上述したように、折り増し機能部５３０は、移動機構部５３５からの駆動力により、待機位置である綴じ製本装置５０のフロントＦ側端部から折りロール５２８が支持する冊子Ｓの折り部が形成された方向（図中Ｘ方向）に沿って移動する。このときカム５３７は、移動経路部５４０に沿って折り増し機能部５３０に対して上下方向に移動する。
【００２６】
移動経路部５４０は、綴じ製本装置５０のフロントＦ側端部から中央部手前までＸ方向に延びて設けられた第１の移動経路５４１と、第１の移動経路５４１の終端から綴じ製本装置５０の中央部を超えてＸ方向に延びかつ下方（図中−Ｙ方向）に傾斜して設けられた第２の移動経路５４２と、第２の移動経路５４２の終端から綴じ製本装置５０のリアＲ側端部までＸ方向に延びて設けられた第３の移動経路５４３とを備える。
また、移動経路部５４０は、綴じ製本装置５０のリアＲ側端部から中央部手前まで−Ｘ方向に延びて第３の移動経路５４３の上方に設けられた第４の移動経路５４４と、第４の移動経路５４４の終端から綴じ製本装置５０の中央部を超えて−Ｘ方向に延びかつ下方（図中−Ｙ方向）に傾斜して設けられた第５の移動経路５４５と、第５の移動経路５４５の終端から綴じ製本装置５０のフロントＦ側端部まで−Ｘ方向に延びて第１の移動経路５４１の下方に設けられた第６の移動経路５４６とを備える。
【００２７】
さらに、移動経路部５４０は、第２の移動経路５４２と第３の移動経路５４３との間に、第２の移動経路５４２および第３の移動経路５４３の外に退避可能に設けられた第１の経路切替部５４７を備える。またさらに、移動経路部５４０は、第４の移動経路５４４と第５の移動経路５４５との間に、第４の移動経路５４４および第５の移動経路５４５の外に退避可能に設けられた第２の経路切替部５４８を備える。
【００２８】
第１の経路切替部５４７は、上方にある第２の移動経路５４２からの押圧により、図中矢印ｇ方向へ退避する。これにより、第２の移動経路５４２と第３の移動経路５４３が接続する。一方、下方にある第６の移動経路５４６からの押圧によっては退避せず、第６の移動経路５４６と第２の移動経路５４２とを接続しない。
また、第２の経路切替部５４８は、上方にある第４の移動経路５４４からの押圧により、図中矢印ｈ方向へ退避する。これにより、第４の移動経路５４４と第５の移動経路５４５が接続する。一方、下方にある第３の移動経路５４３からの押圧によっては退避しない。
【００２９】
冊子Ｓの折り増しを行う場合、折りロール５２８によって搬送された冊子Ｓが折り増し機能部５３０に到達すると、用紙処理制御部１００からの指示により、折り増し機能部５３０は綴じ製本装置５０のフロントＦ側端部から移動を開始する。これに伴って第１の移動経路５４１は、カム５３７を図中矢印ａ方向へ誘導する。このとき、折り増し機能部５３０は、折りロール５２８が支持する冊子Ｓが上ロール５３１Ａと下ロール５３１Ｂとの間に位置する状態でＸ方向へ移動するが、上ロール５３１Ａは下ロール５３１Ｂから離れている。そのため、冊子Ｓは折り増しロールユニット５３１と非接触であるか、または接触しているが押圧されていない状態である。
【００３０】
第２の移動経路５４２は、カム５３７を図中矢印ｂ方向へ誘導する。第２の移動経路５４２と第３の移動経路５４３との間に設けられた第１の経路切替部５４７は、第２の移動経路５４２を移動するカム５３７に接触して押圧されると、図中矢印ｇ方向へ退避し、カム５３７を第３の移動経路５４３へ誘導する。また、第２の移動経路５４２に沿って移動するカム５３７はＸ方向へ進みつつ下方に移動する。これに伴い、上支持部５３４Ａはカム５３７に押圧され、支持軸５３８に対して下方に移動する。これにより、綴じ製本装置５０の中央部よりもフロントＦ側で、上支持部５３４Ａに支持される上ロール５３１Ａは下ロール５３１Ｂに近づいた後に、下ロール５３１Ｂとの間で冊子Ｓの折り部を挟んで押圧する。
【００３１】
その後、カム５３７は第３の移動経路５４３に沿って図中矢印ｃ方向へ移動し、折り増しロールユニット５３１が冊子Ｓの折り部を押圧した状態で折り増し機能部５３０は綴じ製本装置５０のリアＲ側端部まで移動する。これにより、冊子Ｓの折り部の幅方向中央部よりもリアＲ側について折り増しが行われる。なお、第３の移動経路５４３の上方には第２切替部５４８が設けられているが、第２の経路切替部５４８は下方からの押圧によっては退避しない。そのためカム５３７は、第３の移動経路５４３から第２の経路切替部５４８を経由して第４の移動経路５４４に移動しない。
【００３２】
折り増し機能部５３０が第３の移動経路５４３を超えて綴じ製本装置５０のリアＲ側端部に到達すると、第３の移動経路５４３によるカム５３７の押圧が解除される。すると、ばね５３４Ｃにより下方からの押圧を受けている上支持部５３４Ａは支持軸５３８に対して上方に移動する。これに伴いカム５３７も上方に移動し、第４の移動経路５４４の高さで停止する。これにより、上ロール５３１Ａは上方へ移動して冊子Ｓから退避し、折り増しロールユニット５３１による冊子Ｓの折り部の押圧が解除される。
【００３３】
綴じ製本装置５０のリアＲ側端部に到達した折り増し機能部５３０は、続いて−Ｘ方向への移動を開始する。第４の移動経路５４４は、カム５３７を図中矢印ｄ方向へ誘導する。このとき、上ロール５３１Ａは下ロール５３１Ｂから離れており、冊子Ｓは折り増しロールユニット５３１と非接触であるか、または接触しているが押圧されていない状態である。
第５の移動経路５４５は、カム５３７を図中矢印ｅ方向へ誘導する。第５の移動経路５４５と第６の移動経路５４６との間に設けられた第２の経路切替部５４８は、第５の移動経路５４５を移動するカム５３７に接触して押圧されると、図中矢印ｈ方向へ退避し、カム５３７を第６の移動経路５４６へ誘導する。また、第５の移動経路５４５に沿って移動するカム５３７は−Ｘ方向へ進みつつ下方に移動する。これに伴い、カム５３７に接続する上支持部５３４Ａは支持軸５３８に対して下方に移動する。これにより、綴じ製本装置５０の中央部よりもリアＲ側で、上ロール５３１Ａは下ロール５３１Ｂに近づき、下ロール５３１Ｂとの間で冊子Ｓの折り部を挟んで押圧する。
【００３４】
その後、カム５３７は第６の移動経路５４６に沿って図中矢印ｆ方向へ移動し、折り増しロールユニット５３１が冊子Ｓの折り部を押圧した状態で折り増し機能部５３０は綴じ製本装置５０のフロントＦ側端部まで移動する。これにより、冊子Ｓの折り部の幅方向中央部よりもフロントＦ側について折り増しが行われる。なお、第６の移動経路５４６の上方には第１の経路切替部５４７が設けられているが、第１の経路切替部５４７は下方からの押圧によっては退避しない。そのためカム５３７は、第６の移動経路５４６から第１の経路切替部５４７を経由して第１の移動経路５４１に移動しない。
【００３５】
折り増し機能部５３０が第６の移動経路５４６を超えて綴じ製本装置５０のフロントＦ側端部に到達すると、第６の移動経路５４６によるカム５３７の押圧が解除される。すると、ばね５３４Ｃにより下方からの押圧を受けている上支持部５３４Ａは支持軸５３８に対して上方に移動する。これに伴いカム５３７も上方に移動し、第１の移動経路５４１の高さで停止する。これにより、上ロール５３１Ａは上方へ移動して冊子Ｓから退避し、折り増しロールユニット５３１による冊子Ｓの折り部の押圧が解除される。
以上の動作により、折り増し機能部５３０による冊子Ｓの折り部の折り増しが完了する。
【００３６】
＜折り増しロールユニットの構成についての説明＞
続いて、折り増しロールユニット５３１の構成について説明する。図５は、本実施の形態が適用される折り増しロールユニット５３１の機能構成を示した図である。
折り増しロールユニット５３１のうち、押圧部の一例としての上ロール５３１Ａは、上ロール５３１Ａａと、上ロール５３１ＡａよりもフロントＦ側に設けられた上ロール５３１Ａｂと、上ロール５３１ＡａよりもリアＲ側に設けられた上ロール５３１Ａｃとを備える。
また折り増しロールユニット５３１のうち、支持部の一例としての下ロール５３１Ｂは、上ロール５３１ＡａよりもリアＲ側に設けられた下ロール５３１Ｂａと、下ロール５３１ＢａよりもフロントＦ側に設けられた下ロール５３１Ｂｂとを備える。
【００３７】
上ロール５３１Ａａ、上ロール５３１Ａｂ、および上ロール５３１Ａｃはいずれも上支持部５３４Ａに支持されているが、上ロール５３１Ａａは上ロール５３１Ａｂおよび上ロール５３１Ａｃよりも下方に突出して支持される。一方、上ロール５３１Ａｂおよび上ロール５３１Ａｃはそれぞれ同じ高さで支持される。また、下ロール５３１Ｂａおよび下ロール５３１Ｂｂは、それぞれ同じ高さで下支持部５３４Ｂに支持される。そして、上ロール５３１Ａｃと下ロール５３１Ｂａとは、折り増し機能部５３０の移動方向（Ｘ方向および−Ｘ方向）の位置が互いに揃って設けられている。さらに、上ロール５３１Ａｂと下ロール５３１Ｂｂとは、折り増し機能部５３０の移動方向の位置が互いに揃って設けられている。
なお、上ロール５３１Ａａは第１の押圧ロールの一例であり、上ロール５３１Ａｂは第２の押圧ロールの一例であり、上ロール５３１Ａｃは第３の押圧ロールの一例である。また、下ロール５３１Ｂｂは第１の支持ロールの一例であり、下ロール５３１Ｂａは第２の支持ロールの一例である。
【００３８】
＜折り増しロールユニットに押圧される冊子の状態の説明＞
続いて、折り増しロールユニット５３１に押圧されるときの冊子Ｓの状態について説明する。図６（ａ）は上ロール５３１Ａの一部が冊子Ｓに接触している状態、図６（ｂ）は折り増しロールユニット５３１により折り増しされているときの冊子Ｓの状態を示した図である。
上ロール５３１Ａが下ロール５３１Ｂに向かって下方に移動すると、上ロール５３１Ａａがまず、冊子Ｓに接触する。これにより、図６（ａ）のように、冊子Ｓの上面のうち上ロール５３１Ａａに接触する部分が、上ロール５３１Ａａに対して巻きつく。この状態から、上ロール５３１Ａはさらに下ロール５３１Ｂに向かって下方に移動する。すると、図６（ｂ）のように、上ロール５３１Ａｃが冊子Ｓに接触し、下ロール５３１Ｂａとの間で冊子Ｓの折り部を挟んで押圧する。また、上ロール５３１Ａｂも冊子Ｓに接触し、下ロール５３１Ｂｂとの間で冊子Ｓの折り部を挟んで押圧する。
【００３９】
図６（ｂ）の状態において、冊子Ｓは、その上面において上ロール５３１Ａａに巻きつくとともに、下面において下ロール５３１Ｂａと下ロール５３１Ｂｂとにそれぞれ巻きつく。本実施の形態では、上ロール５３１Ａのうち、上ロール５３１Ａａが凸部を形成し、上ロール５３１Ａｂおよび上ロール５３１Ａｃが凹部を形成する。また、下ロール５３１Ｂのうち、下ロール５３１Ｂａおよび下ロール５３１Ｂｂが凸部を形成し、下ロール５３１Ｂａと下ロール５３１Ｂｂとの間の間隙が凹部を形成する。そして、凹部としての上ロール５３１Ａｃと、凸部としての下ロール５３１Ｂａとが噛み合い、凹部としての上ロール５３１Ａｂと、凸部としての下ロール５３１Ｂｂとが噛み合う。また、凹部としての下ロール５３１Ｂａと、下ロール５３１Ｂｂとの間の間隙と、凸部としての上ロール５３１Ａａとが噛み合う。
【００４０】
このように、本実施の形態では、上ロール５３１Ａに設けられた凹凸部と下ロール５３１Ｂに設けられた凹凸部とが冊子Ｓの折り部を介して噛み合うことにより、冊子Ｓの折り部は上ロール５３１Ａａの凸部と下ロール５３１Ｂａの凸部と下ロール５３１Ｂｂの凸部とにそれぞれ巻きつく。この状態で折り増し機能部５３０が冊子Ｓの折り部が形成する方向に沿って移動することで、冊子Ｓの折り部は折り増しロールユニット５３１に扱かれ、剛性が高い用紙からなる冊子Ｓや枚数が多い冊子Ｓであっても、十分な折り増しが行われる。
【００４１】
＜折り増しロールユニットの他の構成例の説明＞
本実施の形態では、折り増しロールユニット５３１が備える凹凸部により、冊子Ｓの折り部の十分な折り増しが行われることについて説明した。ここで、折り増しロールユニット５３１は、図５、６で示したものに限られない。
以下では、これまでに示したものとは異なる折り増しロールユニット５３１の構成について説明する。
【００４２】
図７は、折り増しロールユニット５３１の他の構成例を示した図である。
図７に示す構成例では、折り増しロールユニット５３１の上ロール５３１Ａは、上ロール５３１Ａａと、上ロール５３１ＡａよりもフロントＦ側に設けられた上ロール５３１Ａｂと、上ロール５３１ＡａよりもリアＲ側に設けられた上ロール５３１Ａｃとを備える。また、折り増しロールユニット５３１の下ロール５３１Ｂは、上ロール５３１ＡａよりもリアＲ側に設けられた下ロール５３１Ｂａと、下ロール５３１ＢａよりもフロントＦ側に設けられた下ロール５３１Ｂｂとを備える。
上ロール５３１Ａａは上ロール５３１Ａｂおよび上ロール５３１Ａｃに対して下方に突出して上支持部５３４Ａに支持される。一方で、上ロール５３１Ａｂおよび上ロール５３１Ａｃはそれぞれ同じ高さで支持される。また、下ロール５３１Ｂａおよび下ロール５３１Ｂｂは、それぞれ同じ高さで下支持部５３４Ｂに支持される。
そして、下ロール５３１Ｂａは、折り増し機能部５３０の移動方向（Ｘ方向および−Ｘ方向）の位置について、上ロール５３１Ａａと上ロール５３１Ａｃとの間に設けられている。また、下ロール５３１Ｂｂは、折り増し機能部５３０の移動方向の位置について、上ロール５３１Ａａと上ロール５３１Ａｂとの間に設けられている。
【００４３】
この構成では、上ロール５３１Ａのうち、上ロール５３１Ａａが凸部を形成し、上ロール５３１Ａａと上ロール５３１Ａｂとの間の間隙、および、上ロール５３１Ａａと上ロール５３１Ａｃとの間の間隙がそれぞれ凹部を形成する。また、下ロール５３１Ｂのうち、下ロール５３１Ｂａおよび下ロール５３１Ｂｂがそれぞれ凸部を形成し、下ロール５３１Ｂａと下ロール５３１Ｂｂとの間の間隙が凹部を形成する。
そして、冊子Ｓの折り部の折り増しを行う際には、凹部としての上ロール５３１Ａａと上ロール５３１Ａｃとの間の間隙と、凸部としての下ロール５３１Ｂａとが噛み合い、凹部としての上ロール５３１Ａａと上ロール５３１Ａｂとの間の間隙と、凸部としての下ロール５３１Ｂｂとが噛み合う。また、凹部としての下ロール５３１Ｂａと下ロール５３１Ｂｂとの間の間隙と、凸部としての上ロール５３１Ａａとが噛み合う。
【００４４】
この構成によると、冊子Ｓは上ロール５３１Ａａの凸部と下ロール５３１Ｂａの凸部と下ロール５３１Ｂｂの凸部とにそれぞれ巻きつく。この状態で折り増し機能部５３０が冊子Ｓの折り部が形成する方向に沿って移動することで、冊子Ｓの折り部は折り増しロールユニット５３１に扱かれ、十分な折り増しが行われる。また、全ての凹部がロールとロールとの間の間隙によって深く形成されるため、上ロール５３１Ａの凹凸部と下ロール５３１Ｂとが深く噛み合い、冊子Ｓの折り部に対してより強い折り増しが行われる。
【００４５】
続いて、図５、６、７に示したものとは異なる折り増しロールユニット５３１の構成例について説明する。
図８は、折り増しロールユニット５３１の他の構成例を示した図である。
図８に示す構成例では、折り増しロールユニット５３１の上ロール５３１Ａは、上ロール５３１Ａａと、上ロール５３１ＡａよりもフロントＦ側に設けられた上ロール５３１Ａｂとを備える。また、折り増しロールユニット５３１の下ロール５３１Ｂは、上ロール５３１ＡよりもリアＲ側に設けられた下ロール５３１Ｂａと、下ロール５３１ＢａよりもフロントＦ側に設けられた下ロール５３１Ｂｂとを備える。
上ロール５３１Ａａおよび上ロール５３１Ａｂはそれぞれ同じ高さで上支持部５３４Ａに支持され、下ロール５３１Ｂａおよび下ロール５３１Ｂｂはそれぞれ同じ高さで下支持部５３４Ｂに支持される。また、折り増し機能部５３０の移動方向（Ｘ方向および−Ｘ方向）の位置について、下ロール５３１Ｂｂは上ロール５３１Ａａと上ロール５３１Ａｂとの間に設けられる。
【００４６】
この構成では、上ロール５３１Ａのうち、上ロール５３１Ａａが凸部を形成し、上ロール５３１Ａａと上ロール５３１Ａｂとの間の間隙が凹部を形成する。また、下ロール５３１Ｂのうち、下ロール５３１Ｂｂが凸部を形成し、下ロール５３１Ｂａと下ロール５３１Ｂｂとの間の間隙が凹部を形成する。
そして、冊子Ｓの折り部の折り増しを行う際には、凹部としての上ロール５３１Ａａと、上ロール５３１Ａｂとの間の間隙と、凸部としての下ロール５３１Ｂｂとが噛み合っている。また、凹部としての下ロール５３１Ｂａと下ロール５３１Ｂｂとの間の間隙と、凸部としての上ロール５３１Ａａとが噛み合っている。
【００４７】
この構成によると、冊子Ｓは上ロール５３１Ａａの凸部と下ロール５３１Ｂｂの凸部とにそれぞれ巻きつく。この状態で折り増し機能部５３０が冊子Ｓの折り部が形成する方向に沿って移動することで、冊子Ｓの折り部は折り増しロールユニット５３１に扱かれ、十分な折り増しが行われる。また、上ロール５３１Ａおよび下ロール５３１Ｂはそれぞれ二つのロールによって構成されており、より簡易な構成により折り増しが行われる。
【００４８】
続いて、図５、６、７、８に示したものとは異なる折り増しロールユニット５３１の構成例について説明する。
図９は、折り増しロールユニット５３１の他の構成例を示した図である。
図９に示す構成例では、折り増しロールユニット５３１の上ロール５３１Ａは、上ロール５３１Ａａと、上ロール５３１ＡａよりもフロントＦ側に設けられた上ロール５３１Ａｂとを備える。また、折り増しロールユニット５３１の下ロール５３１Ｂは、下ロール５３１Ｂａと、下ロール５３１ＢａよりもフロントＦ側に設けられた下ロール５３１Ｂｂとを備える。
上ロール５３１Ａａは、上ロール５３１Ａｂよりも下方に突出して上支持部５３４Ａに支持されている。また、下ロール５３１Ｂｂは、下ロール５３１Ｂａよりも上方に突出して下支持部５３４Ｂに支持されている。そして、上ロール５３１Ａａと下ロール５３１Ｂａとは、折り増し機能部５３０の移動方向（Ｘ方向および−Ｘ方向）の位置が互いに揃って設けられている。さらに、上ロール５３１Ａｂと下ロール５３１Ｂｂとは、折り増し機能部５３０の移動方向の位置が互いに揃って設けられている。
【００４９】
この構成では、上ロール５３１Ａのうち、上ロール５３１Ａａが凸部を形成し、上ロール５３１Ａｂが凹部を形成する。また、下ロール５３１Ｂのうち、下ロール５３１Ｂｂが凸部を形成し、下ロール５３１Ｂａが凹部を形成する。
そして、冊子Ｓの折り部の折り増しを行う際には、凹部としての上ロール５３１Ａｂと、凸部としての下ロール５３１Ｂｂとが噛み合っている。また、凹部としての下ロール５３１Ｂａと、凸部としての上ロール５３１Ａａとが噛み合っている。
【００５０】
この構成によると、冊子Ｓは上ロール５３１Ａａの凸部と下ロール５３１Ｂｂの凸部とにそれぞれ巻きつく。この状態で折り増し機能部５３０が冊子Ｓの折り部が形成する方向に沿って移動することで、冊子Ｓの折り部は折り増しロールユニット５３１に扱かれ、十分な折り増しが行われる。また、上ロール５３１Ａおよび下ロール５３１Ｂはそれぞれ二つのローラによって構成されており、より簡易な構成により折り増しが行われる。
【００５１】
本実施の形態では、折り増しロールユニット５３１の上ロール５３１Ａが下ロール５３１Ｂに向かって移動し、冊子Ｓの折り部を挟んで押圧することによって折り増しを行っている。しかし、下ロール５３１Ｂが上ロール５３１Ａに向かって移動して冊子Ｓの折り部の折り増しを行う構成としてもよい。この場合は、上ロール５３１Ａが支持部の一例として、下ロール５３１Ｂが押圧部の一例としてそれぞれ構成される。またカム５３７は、下支持部５３４Ｂと接続し、経路誘導部５３６の移動経路部５４０からの押圧力を受けて、下支持部５３４Ｂを介して下ロール５３１Ｂを上ロール５３１Ａに向かって移動させる。
【００５２】
また、折り増しロールユニット５３１は本実施の形態で示した構成に限られず、一方の面と他方の面とでそれぞれ凹凸部を有し、冊子Ｓの折り部を介してそれぞれの凹凸部が噛み合うことで冊子Ｓの折り部の折り増しを行うものであればよい。
【符号の説明】
【００５３】
１…画像形成システム、２…画像形成装置、３…用紙処理装置、５０…綴じ製本装置、５３０…折り増し機能部、５３１…折り増しロールユニット、５３１Ａ…上ロール、５３１Ｂ…下ロール、５３４…支持部、５３４Ａ…上支持部、５３４Ｂ…下支持部、５３４Ｃ…ばね、５３５…移動機構部、５３６…経路誘導部、５３７…カム、５３８…支持軸、５４０…移動経路部
【図１】
0006561530.tif 000002
【図２】
0006561530.tif 000003
【図３】
0006561530.tif 000004
【図４】
0006561530.tif 000005
【図５】
0006561530.tif 000006
【図６】
0006561530.tif 000007
【図７】
0006561530.tif 000008
【図８】
0006561530.tif 000009
【図９】
0006561530.tif 000010